(57)【要約】【課題】防火性を向上できる防火ドアを提供すること。【解決手段】玄関ドア１は、ドア枠と、ドア枠の吊元側に開閉可能に取り付けられた扉体３とを備え、扉体３は、芯材３１、屋外表面材３２および屋内表面材３３を備える。屋外表面材３２は、屋外表面部３２１と、屋外表面部３２１の吊元側における縦縁から屋内側に折曲された屋外見込み片部３２２とを有する。屋内表面材３３は、屋内表面部３３１と、屋内表面部３３１の吊元側における縦縁から屋外側に折曲された屋内見込み片部３３２とを有する。芯材３１と屋外見込み片部３２２および屋内見込み片部３３２との間には骨材３４が設置される。屋外見込み片部３２２は骨材３４に対して固定され、屋内見込み片部３３２は骨材３４にして非固定とされ、屋内見込み片部３３２には、ドア枠の吊元側見込み面２５１と対向する熱膨張耐火材８が設置されている。【選択図】図２
2020139357.tif 000002
【特許請求の範囲】
【請求項１】
建具枠と、前記建具枠の吊元側に開閉可能に取り付けられた扉体とを備え、
前記扉体は、芯材と、前記芯材に対して屋外側に設置された屋外表面材と、前記芯材に対して屋内側に設置された屋内表面材とを備え、
前記屋外表面材は、前記扉体の屋外面を構成する屋外表面部と、前記屋外表面部の吊元側における縦縁から屋内側に折曲された屋外見込み片部とを有し、
前記屋内表面材は、前記扉体の屋内面を構成する屋内表面部と、前記屋内表面部の吊元側における縦縁から屋外側に折曲された屋内見込み片部とを有し、
前記芯材と前記屋外見込み片部および前記屋内見込み片部との間には骨材が設置され、
前記屋外見込み片部は前記骨材に対して固定され、
前記屋内見込み片部は前記骨材にして非固定とされ、
前記屋内見込み片部には、前記建具枠の吊元側見込み面と対向する熱膨張耐火材が設置されている
ことを特徴とする防火ドア。
【請求項２】
請求項１に記載の防火ドアにおいて、
前記屋外見込み片部とともに前記骨材に固定具によって固定される保持片を備え、
前記保持片は、前記屋内見込み片部との間に熱膨張耐火材を挟む配置とされている
ことを特徴とする防火ドア。
【請求項３】
請求項１または請求項２に記載の防火ドアにおいて、
前記建具枠は、上枠、下枠、戸先側縦枠および吊元側縦枠を備え、
前記吊元側縦枠には、戸先側に向かって延出した戸当り部が形成され、
前記戸当り部には、屋外側に開口した係合溝が形成され、
前記係合溝には、前記扉体の屋内面に当接する戸当り材が係合していると共に、前記開口から屋外側に熱膨張する熱膨張耐火材が設置されている
ことを特徴とする防火ドア。
【発明の詳細な説明】
【技術分野】
【０００１】
本発明は、建物の玄関ドア、勝手口ドアなどに用いられる防火ドアに関する。
【背景技術】
【０００２】
従来、枠体にヒンジ部を介して扉体を開閉可能に取り付けた扉が知られている（特許文献１参照）。扉体は、スチール製の扉枠（力骨）と、扉枠を室外側から覆って配置された室外側表面材と、扉枠を室内側から覆って配置された室内側表面材とを備えている。室外側表面材および室内側表面材の縦縁部は見込み方向に折曲され、固定具によって扉枠の見込み面に固定されている。
【先行技術文献】
【特許文献】
【０００３】
【特許文献１】特開２０１６−２１７００４号公報
【発明の概要】
【発明が解決しようとする課題】
【０００４】
例えば特許文献１に記載の扉において、扉体の吊元側における吊元側見込み面に熱膨張耐火材を設置し、火災時に熱膨張する熱膨張耐火材によって吊元側見込み面と枠体の見込み面との間を塞いで防火性を向上させることが考えられる。
しかし、火災時においては扉体の室外側表面材および室内側表面材の双方とも左右方向に熱伸びしようとするが、室外側表面材および室内側表面材の双方の縦縁部が固定具によって扉枠の見込み面に固定されているので、左右方向の熱伸びが抑制されて室外側表面材および室内側表面材に歪みが生じ、見込み方向の熱反り変形が助長されるおそれがある。このように熱反り変形が助長されると、吊元側見込み面および枠体の見込み面の間を熱膨張耐火材によって塞いでも前記熱反り変形によって室内外の貫通孔が形成されるおそれがある。
【０００５】
本発明は、防火性を向上できる防火ドアを提供することを目的とする。
【課題を解決するための手段】
【０００６】
本発明の防火ドアは、建具枠と、前記建具枠の吊元側に開閉可能に取り付けられた扉体とを備え、前記扉体は、芯材と、前記芯材に対して屋外側に設置された屋外表面材と、前記芯材に対して屋内側に設置された屋内表面材とを備え、前記屋外表面材は、前記扉体の屋外面を構成する屋外表面部と、前記屋外表面部の吊元側における縦縁から屋内側に折曲された屋外見込み片部とを有し、前記屋内表面材は、前記扉体の屋内面を構成する屋内表面部と、前記屋内表面部の吊元側における縦縁から屋外側に折曲された屋内見込み片部とを有し、前記芯材と前記屋外見込み片部および前記屋内見込み片部との間には骨材が設置され、前記屋外見込み片部は前記骨材に対して固定され、前記屋内見込み片部は前記骨材にして非固定とされ、前記屋内見込み片部には、前記建具枠の吊元側見込み面と対向する熱膨張耐火材が設置されていることを特徴とする。
【発明の効果】
【０００７】
本発明によれば、防火性を向上できる防火ドアを提供することができる。
【図面の簡単な説明】
【０００８】
【図１】本発明の実施形態に係る玄関ドアを示す外観姿図。
【図２】図１に示すＩＩ−ＩＩ線に沿った断面図。
【図３】前記実施形態に係る玄関ドアの要部の作用を示す横断面図。
【発明を実施するための形態】
【０００９】
［本実施形態の構成］
以下、本発明の実施形態を図面に基づいて説明する。
図１および図２において、本実施形態に係る防火ドアとしての玄関ドア１は、片開き式の開き戸であり、建物の外壁開口部に固定された建具枠であるドア枠２と、ドア枠２に開閉可能に取り付けられたフラッシュ構造の扉体３（フラッシュパネル）とを備えている。
以下の説明において、玄関ドア１の左右方向をＸ軸方向とし、玄関ドア１の上下方向をＹ軸方向とし、玄関ドア１の見込み方向（屋内外方向）をＺ軸方向とする。Ｘ，Ｙ，Ｚ軸方向は互いに直交している。
【００１０】
ドア枠２は、上枠２１、下枠２２および左右の縦枠２３，２４を備えており、図１において右側に示す縦枠２３が吊元側縦枠であり、図１において左側に示す縦枠２４が戸先側縦枠である。縦枠２３には旗丁番などによって構成されるヒンジ４が取り付けられており、ヒンジ４に扉体３が取り付けられている。上枠２１および縦枠２４は、アルミ押出形材によって形成された屋外形材および屋内形材をウレタン樹脂等の断熱材によって連結してそれぞれ構成されている（図示省略）。下枠２２はアルミ押出形材によって形成されている。
縦枠２３（吊元側縦枠）は、図２に示すように、アルミ押出形材によって形成された屋外形材２５および屋内形材２６と、屋外形材２５および屋内形材２６を連結したウレタン樹脂等の断熱材２７とによって構成されている。
屋外形材２５は、ヒンジ４が取り付けられた吊元側見込み面２５１を有して断面略矩形状に形成されている。屋内形材２６はその見込み面から戸先側に延出した戸当り部２８を有している。戸当り部２８には、扉体３の屋内面が当接する可燃性の戸当り材６が係合した係合溝２８１が形成されており、係合溝２８１の底面にはＹ軸方向に延びたシート状の熱膨張耐火材７が設置されている。
【００１１】
扉体３は、図１に示すように縦長矩形状に形成されている。扉体３は、図２に示すように、芯材３１と、芯材３１に対して屋外側に配置された金属製の屋外表面材３２と、芯材３１に対して屋内側に配置された屋内表面材３３と、屋外表面材３２および屋内表面材の間に配置された骨材３４，３５とを備えている。また、扉体３には、Ｙ軸方向に延びた開口部３６が形成され、パネル保持枠３７およびパネル保持枠３７に保持された採光用のパネル３８が開口部３６に設置されている。開口部３６は、芯材３１、屋外表面材３２および屋内表面材３３を屋内外に貫通して形成されている。
芯材３１は、ＥＰＳ（発泡ビーズ法ポリスチレン）製の断熱材で構成されている。なお、芯材３１は、フェノール樹脂系の断熱材を用いてもよいし、ハニカム材（水酸化アルミハニカム、セラミックハニカム、ペーパーハニカム）、フォーム材（イソシアヌレートフォーム、ウレタンフォーム、フェノール樹脂フォーム）等の断熱材が使用されてもよい。
屋外表面材３２は、扉体３の屋外面を構成する屋外表面部３２１と、屋外表面部３２１の吊元側における縦縁から屋内側に向けてＺ軸方向に折曲された屋外見込み片部３２２とを有している。また、屋外表面材３２は、図示しないが、戸先側における縦縁から屋内側に向けてＺ軸方向に折曲された屋外見込み片部を有している。
屋内表面材３３は、扉体３の屋内面を構成する屋内表面部３３１と、屋内表面部３３１の吊元側における縦縁から屋外側に向けてＺ軸方向に折曲された屋内見込み片部３３２とを有しており、屋内見込み片部３３２には、縦枠２３の吊元側見込み面２５１に間隔を隔てて対向する熱膨張耐火材８が貼り付けられている。熱膨張耐火材８は、扉体３の下側部分に設置されるが、扉体３のＹ軸方向全長に設置されてもよい。また、屋内表面材３３は、図示しないが、戸先側における縦縁から屋外側に向けてＺ軸方向に折曲された屋内見込み片部を有している。なお、屋内表面材３３は、骨材３４，３５などにネジ固定されていない（非固定）が骨材３５とパネル保持枠３７との間に挟み込まれたり、芯材３１に接着されたりしてその位置が保たれている。また、戸先側の屋外見込み片部および屋内見込み片部は、扉体３の戸先側に装着された金属製の戸先エッジ材によって覆われている。
骨材３４は、スチール等の金属骨材３４１と、硬質の樹脂骨材３４２とを備えた複合骨材によって断面略コ字形状に構成されており、扉体３の周囲に沿って四周枠組みされている。なお、戸先側でＹ軸方向に沿った骨材３４には、戸先側の縦枠２４に設けられた錠受けに係止されるラッチボルトやデッドボルト等を備える錠ケースが取り付けられている（図示省略）。
骨材３５は、断面略コ字状の金属骨材３５１と、金属骨材３５１の屋外端部および屋内端部に係合した硬質の樹脂材３５２とによって構成されており、パネル保持枠３７および芯材３１の間に配置されている。
【００１２】
前述した扉体３において、屋外表面材３２の屋外表面部３２１はパネル保持枠３７にネジ止めされている。屋外見込み片部３２２は骨材３４に固定具であるリベット９によってリベット止めされている。ここで、リベット９は、図２に示す保持片１０を屋外見込み片部３２２とともに骨材３４に共締め固定している。保持片１０は、ピース材であって屋外見込み片部３２２から屋内側に延出しており、屋内見込み片部３３２との間で熱膨張耐火材８を挟持されている。
屋内表面材３３の屋内表面部３３１は骨材３５およびパネル保持枠３７によって挟持されている。屋内見込み片部３３２は骨材３４に沿って配置されているが、リベット９によっては骨材３４に固定されていない非固定の状態とされている。なお、屋内見込み片部３３２は、リベット９などによって骨材３４に機械的に固定されていないが、火災時における屋内表面材３３のＸ軸方向の熱伸び変形を許容可能な範囲で骨材３４に貼り付けられていてもよい。
【００１３】
以下、本実施形態に係る玄関ドア１の要部における作用について説明する。
屋外火災時、熱膨張耐火材８が熱せられて縦枠２３の吊元側見込み面２５１に向かって熱膨張し、縦枠２３および屋内見込み片部３３２の間を塞ぐ。また、熱膨張耐火材７も熱せられて戸当り部２８から屋外側に向かってＺ軸方向に熱膨張し、縦枠２３の断熱材２７を覆いつつ熱膨張耐火材８に当たる。なお、戸当り材６は焼失するか、熱膨張する熱膨張耐火材７に押されて脱落する。
また、屋外火災によって屋外表面材３２が熱せられてＸ軸方向に熱伸びしようとするが、パネル保持枠３７および骨材３４に機械的に固定されているので、この熱伸びが抑制され、Ｙ軸方向における熱反り変形が助長される。一方、屋内表面材３３は、骨材３４にリベット９などによって固定されていないので、骨材３４の位置ズレの影響を受けずに図３に示すように所定位置に留まる。また、屋外表面材３２の熱反り変形によって骨材３５およびパネル保持枠３７が位置ズレするが、屋内表面材３３は所定位置に留まるので、屋内表面部３３１が骨材３５およびパネル保持枠３７の間から外れる。
屋外火災によって芯材３１が発火すると、骨材３４および屋内見込み片部３３２の隙間から縦枠２３の吊元側見込み面２５１および扉体３の吊元側における見込み面の間に通じる経路１１を火炎が通って吊元側見込み面２５１および扉体３の吊元側における見込み面の間に入り込む。このとき、屋内見込み片部３３２は所定位置を維持しており、この状態で屋内見込み片部３３２と吊元側見込み面２５１との間が熱膨張耐火材８によって適切に塞がれているので、ここから屋内側に火炎が入り込むことを防いでいる。
なお、屋外火災によるパネル保持枠３７の変形によって当該パネル保持枠３７の各所にも隙間が形成されるが、これらの隙間は図示しない熱膨張耐火材の熱膨張によって塞がれる。このため、パネル保持枠３７における前記隙間や、パネル保持枠３７および屋内表面材３３の間などから屋内側に火炎が入り込むことは、前記熱膨張耐火材によって防がれる。
【００１４】
[変形例]
前記実施形態では、扉体３に開口部３６を設けてパネル保持枠３７およびパネル３８を設置しているが、開口部３６の構成を省略してもよい。
前記実施形態では、屋内見込み片部３３２との間で熱膨張耐火材８を挟持する保持片１０を備えているが、これがなくても熱膨張耐火材８が剥がれ落ちたりしない程度の貼付強度がある場合には、保持片１０の構成を省略してもよい。
前記実施形態では、戸当り部２８に熱膨張耐火材７を設置して防火性を向上させているが、熱膨張耐火材７を設置しなくても十分に防火可能である場合には、この構成を省略してもよい。
前記実施形態では、上枠２１および縦枠２３，２４は、屋外形材２５および屋内形材２６を断熱材２７で連結した断熱形材として構成されているが、これに限らず、例えばアルミ押出形材によって形成されていてもよい。
前記実施形態では、骨材３４は金属骨材３４１および樹脂骨材３４２によって構成され、骨材３５は金属骨材３５１および樹脂材３５２によって構成されているが、全体が金属骨材によって構成されていてもよい。
前記実施形態では、玄関ドア１を防火ドアとして説明したが、これに限らず、勝手口ドアなどの各種のドアであってもよい。
【００１５】
[本発明のまとめ]
本発明の防火ドアは、建具枠と、前記建具枠の吊元側に開閉可能に取り付けられた扉体とを備え、前記扉体は、芯材と、前記芯材に対して屋外側に設置された屋外表面材と、前記芯材に対して屋内側に設置された屋内表面材とを備え、前記屋外表面材は、前記扉体の屋外面を構成する屋外表面部と、前記屋外表面部の吊元側における縦縁から屋内側に折曲された屋外見込み片部とを有し、前記屋内表面材は、前記扉体の屋内面を構成する屋内表面部と、前記屋内表面部の吊元側における縦縁から屋外側に折曲された屋内見込み片部とを有し、前記芯材と前記屋外見込み片部および前記屋内見込み片部との間には骨材が設置され、前記屋外見込み片部は前記骨材に対して固定され、前記屋内見込み片部は前記骨材にして非固定とされ、前記屋内見込み片部には、前記建具枠の吊元側見込み面と対向する熱膨張耐火材が設置されていることを特徴とする。
本発明の防火ドアによれば、屋内見込み片部が骨材に機械拘束されないので、火災時に屋内表面材が熱せられることによる左右方向の熱伸びを抑制することなく許容でき、屋内表面材が見込み方向の熱反り変形が助長されるおそれを低減できる。このため、熱膨張耐火材によって屋内見込み片部と建具枠の見込み面との間を塞いだ状態を適切に保つことができる。
また、火災時の熱によって各部材が変形、焼失して、骨材と屋内表面材との間に隙間が形成されると、この隙間を火炎が通って扉体の吊元側見込み面と建具枠の見込み面との間に入り込む経路が形成されるおそれがあるが、熱反り変形が小さい屋内見込み片部および建具枠の間が熱膨張耐火材によって塞がれているので、吊元側における扉体および建具枠の間から屋内側に火炎が入り込むことを防ぐことができる。
更に、熱膨張耐火材を屋内見込み片部に設置することで、火災時に吊元側における扉体および建具枠の間を適切に塞ぐことができるので、熱膨張耐火材を屋内見込み片部から屋外見込み片部にわたって設置する必要がなく、熱膨張耐火材を減らしてコスト削減できる。
加えて、熱膨張耐火材を屋外見込み片部ではなく屋内見込み片部に設置するので、熱膨張耐火材を屋外側から視認しづらい位置に配置でき、熱膨張耐火材の設置によって外観意匠を損なうおそれを低減できる。
【００１６】
本発明の防火ドアでは、前記屋外見込み片部とともに前記骨材に固定具によって固定される保持片を備え、前記保持片は、前記屋内見込み片部との間に熱膨張耐火材を挟む配置とされていてもよい。
このような構成によれば、熱膨張耐火材が屋内見込み片部から脱落することを保持片によって抑制でき、また、屋外見込み片部を骨材に固定する固定具を利用して保持片を固定するので、固定具を増やすことなくコストを低く抑えることができる。
【００１７】
本発明の防火ドアでは、前記建具枠は、上枠、下枠、戸先側縦枠および吊元側縦枠を備え、前記吊元側縦枠には、戸先側に向かって延出した戸当り部が形成され、前記戸当り部には、屋外側に開口した係合溝が形成され、前記係合溝には、前記扉体の屋内面に当接する戸当り材が係合していると共に、前記開口から屋外側に熱膨張する熱膨張耐火材が設置されていてもよい。
このような構成によれば、火災時に、屋内見込み片部に設置された熱膨張耐火材が熱膨張して屋内見込み片部および吊元側縦枠の間を塞ぐ一方、係合溝に設置された熱膨張耐火材が熱膨張して、屋内見込み片部および吊元側縦枠の間を塞ぐ熱膨張耐火材に当たることで、吊元側における扉体および吊元側縦枠の間をより安定して塞ぐことができる。
【符号の説明】
【００１８】
１…玄関ドア、１０…保持片、２…ドア枠、２５１…吊元側見込み面、２８…戸当り部、２８１…係合溝、３…扉体、３１…芯材、３２…屋外表面材、３２１…屋外表面部、３２２…屋外見込み片部、３３…屋内表面材、３３１…屋内表面部、３３２…屋内見込み片部、３４，３５…骨材、６…戸当り材、７，８…熱膨張耐火材。
【図１】
2020139357.tif 000003
【図２】
2020139357.tif 000004
【図３】
2020139357.tif 000005